(57)【特許請求の範囲】
【請求項１】
ビール容器を収容する断熱性を有する容器本体を具備するビール用保冷容器において、
上記容器本体に、上記ビール容器と冷却水を収容する第１の収容室と、上記ビール容器及び冷却水を冷却するための氷を収容する第２の収容室とを形成すると共に、これら第１の収容室と第２の収容室とを互いに連通する連通孔を有する仕切板を介して区画してなり、
上記第１又は第２の収容室の底部に排水口を設け、この排水口に一端が接続する冷却水調整用の排水管を、可撓性を有する透明性チューブにて形成し、かつ、この排水管を、容器本体の外側部に縦方向に設けられた収納溝内に収納可能に形成すると共に、起立状態に係止可能に形成してなる、ことを特徴とするビール用保冷容器。
【請求項２】
ビール容器を収容する断熱性を有する容器本体と、上記ビール容器内に圧縮ガスを供給するガス供給手段と、上記ビール容器内のビールを注出するノズルと、上記ビール容器の開口部に装着されると共に、上記ガス供給手段に接続するガス導入路及び上記ノズルに接続するビール導出路を有する装着体と、を具備するビール用保冷容器において、
上記容器本体に、上記ビール容器と冷却水を収容する第１の収容室と、上記ビール容器及び冷却水を冷却するための氷を収容する第２の収容室とを形成すると共に、これら第１の収容室と第２の収容室とを互いに連通する連通孔を有する仕切板を介して区画してなり、
上記第１又は第２の収容室の底部に排水口を設け、この排水口に一端が接続する冷却水調整用の排水管を、可撓性を有する透明性チューブにて形成し、かつ、この排水管を、容器本体の外側部に縦方向に設けられた収納溝内に収納可能に形成すると共に、起立状態に係止可能に形成してなる、ことを特徴とするビール用保冷容器。
【請求項３】
請求項２記載のビール用保冷容器において、
上記ノズルを容器本体の上部外側に突出して設け、容器本体における上記ノズルの下部外側に液溜トレイを設けてなり、
上記容器本体の側壁上部に、上端に向かって開口するノズル取付用の凹部を設け、この凹部の対向する側壁と上記ノズルの両側に、互いに摺動可能に係合する凸条と凹条を形成してなり、上記ノズルを反転させて上記凸条と凹条とを摺動係合させることにより、上記ノズルの注出口部を容器本体の外側に突出する使用位置、又は容器本体内に収容する不使用位置に切換移動可能に形成し、
上記液溜トレイを、上記容器本体の外側に突出する使用位置と、容器本体の外側面に近接する不使用位置に折畳み可能に形成してなる、ことを特徴とするビール用保冷容器。
【請求項４】
請求項２記載のビール用保冷容器において、
上記容器本体の第１の収容室内に配設され、ビール容器を載置する載置部と、ビール容器の外側方に延在する起立部とを有する保持体を更に具備し、上記保持体の起立部に設けたねじ部と装着体とをねじ結合可能に形成してなる、ことを特徴とするビール用保冷容器。
【発明の詳細な説明】
【０００１】
【発明の属する技術分野】
この発明は、ビール用保冷容器に関するもので、更に詳細には、特に電源を使用することなく野外でのビールの保冷、保温を可能にするビール用保冷容器に関するものである。
【０００２】
【従来の技術】
従来のこの種の保冷容器として出願人が先に開発した保冷容器が知られている（特開平１０−２２９９４５号公報参照）。この保冷容器は、被保冷品としてのビール容器を収容する内側容器体と、この内側容器体を囲繞する外側容器体とで容器本体が構成されている。また、内側容器体を発泡倍率の高い断熱性に富む発泡断熱材にて形成し、外側容器体を発泡倍率の低い強度性及び保形性に富む発泡断熱材にて形成することにより、軽量で、変形や破損が少なく、かつ断熱性に優れた保冷容器とすることができるという効果が得られる。この保冷容器を使用する場合は、内側容器体の底部にビール容器の昇温を防ぐために蓄冷剤を配置している。
【０００３】
【発明が解決しようとする課題】
ところで、蓄冷剤は、保冷容器の容量との対比で大型なものとすることができないため、小型なもので対応しているが、小型のため、保冷能力が長く維持できなくなり、ビール容器の保温又はビールの温度が直ぐに上昇してしまうという問題があった。
【０００４】
また、ビールの保温又は保冷の温度を任意に調節することも容易でなかった。更には、容器内の蓄冷剤のみではビール容器すなわちビールを早く冷やすことができなかった。
【０００５】
したがって、この種の保冷容器を、特に屋外で使用する場合には、保冷、保温の点で十分な効果が発揮できないという問題があった。
【０００６】
この発明は、上記事情に鑑みなされたもので、特に電源を使用することなく野外でのビールの保冷、保温を可能にすることができると共に、温度調整を可能にしたビール用保冷容器を提供することを目的とするものである。
【０００７】
【課題を解決するための手段】
上記目的を達成するために、請求項１記載の発明は、ビール容器を収容する断熱性を有する容器本体を具備するビール用保冷容器において、  上記容器本体に、上記ビール容器と冷却水を収容する第１の収容室と、上記ビール容器及び冷却水を冷却するための氷を収容する第２の収容室とを形成すると共に、これら第１の収容室と第２の収容室とを互いに連通する連通孔を有する仕切板を介して区画してなり、  上記第１又は第２の収容室の底部に排水口を設け、この排水口に一端が接続する冷却水調整用の排水管を、可撓性を有する透明性チューブにて形成し、かつ、この排水管を、容器本体の外側部に縦方向に設けられた収納溝内に収納可能に形成すると共に、起立状態に係止可能に形成してなる、ことを特徴とする。
【０００８】
このように構成することにより、被保冷物であるビールを収容するビール容器と冷却水を第１の収容室内に収容し、この第１の収容室と連通する第２の収容室に氷を収容することができるので、氷と冷却水とが混在することなく、氷によって冷却水及びビール容器を長時間に渡って冷却・保冷することができる。また、排水管から、冷却水の容積を調節することができるので、ビール容器と冷却水との接触面積を調節することができ、これによりビール容器すなわちビールの保冷又は保温を調整することができる。
【０００９】
また、排水管を容器本体の外側部に係止した状態で冷却水の容量すなわち冷却水とビール容器との接触状況を外部から目視することができるので、ビールの保冷、保温の調節を容易にすることができる。
【００１０】
請求項２記載の発明は、ビール容器を収容する断熱性を有する容器本体と、上記ビール容器内に圧縮ガスを供給するガス供給手段と、上記ビール容器内のビールを注出するノズルと、上記ビール容器の開口部に装着されると共に、上記ガス供給手段に接続するガス導入路及び上記ノズルに接続するビール導出路を有する装着体と、を具備するビール用保冷容器において、  上記容器本体に、上記ビール容器と冷却水を収容する第１の収容室と、上記ビール容器及び冷却水を冷却するための氷を収容する第２の収容室とを形成すると共に、これら第１の収容室と第２の収容室とを互いに連通する連通孔を有する仕切板を介して区画してなり、  上記第１又は第２の収容室の底部に排水口を設け、この排水口に一端が接続する冷却水調整用の排水管を、可撓性を有する透明性チューブにて形成し、かつ、この排水管を、容器本体の外側部に縦方向に設けられた収納溝内に収納可能に形成すると共に、起立状態に係止可能に形成してなる、ことを特徴とする。
【００１１】
このように構成することにより、請求項１記載の発明と同様に、氷と冷却水とが混在することなく、氷によって冷却水及びビール容器を長時間に渡って冷却・保冷することができ、また、ビール容器と冷却水との接触面積を調節することにより、ビール容器すなわちビールの保冷又は保温を調整することができる。更に、電源を使用しないで野外でのビールの保冷、保温を容易にすることができると共に、ビールをジョッキ等の容器へ注ぐことができる。
【００１２】
また、排水管を容器本体の外側部に係止した状態で冷却水の容量すなわち冷却水とビール容器との接触状況を外部から目視することができるので、ビールの保冷、保温の調節を容易にすることができる。
【００１３】
請求項３記載の発明は、請求項２記載のビール用保冷容器において、  上記ノズルを容器本体の上部外側に突出して設け、容器本体における上記ノズルの下部外側に液溜トレイを設けてなり、  上記容器本体の側壁上部に、上端に向かって開口するノズル取付用の凹部を設け、この凹部の対向する側壁と上記ノズルの両側に、互いに摺動可能に係合する凸条と凹条を形成してなり、上記ノズルを反転させて上記凸条と凹条とを摺動係合させることにより、上記ノズルの注出口部を容器本体の外側に突出する使用位置、又は容器本体内に収容する不使用位置に切換移動可能に形成し、  上記液溜トレイを、上記容器本体の外側に突出する使用位置と、容器本体の外側面に近接する不使用位置に折畳み可能に形成してなる、ことを特徴とする。
【００１４】
このように構成することにより、使用時には、ノズルの注出口を容器本体の上部外側に突出し、このノズルの下部外側に液溜トレイを配設することができるので、液溜トレイ上に置いたジョッキ等の容器にビールを注入することができ、その際、ジョッキから溢れたり外部に飛散したビールを液溜トレイで受け止めることができる。また、不使用時には、ノズルの注出口部を、容器本体内に収納し、また、液溜トレイを、容器本体の外側面に近接する位置に折り畳むことにより、不使用時における全体の容積をコンパクトにすることができるので、不使用時の保管が容易となる。
【００１５】
請求項４記載の発明は、請求項２記載のビール用保冷容器において、  上記容器本体の第１の収容室内に配設され、ビール容器を載置する載置部と、ビール容器の外側方に延在する起立部とを有する保持体を更に具備し、上記保持体の起立部に設けたねじ部と装着体とをねじ結合可能に形成してなる、ことを特徴とする。
【００１６】
このように構成することにより、装着体をビール容器の開口部に密着した状態でビール容器を保持体にて保持することができるので、ガス供給手段からビール容器内に圧縮ガスを供給してビール容器内のビールをノズルから注出して、ビール容器内のビールの容量が少なくなることにより、ビール容器が浮き上がるのを防止することができる。したがって、ビール容器内のビールの保冷又は保温を確実にすることができると共に、ビール容器内にビールを残すことなく確実に注出することができる。
【００１７】
【発明の実施の形態】
以下に、この発明のビール用保冷容器の実施形態について、添付図面に基づいて詳細に説明する。
【００１８】
◎第一実施形態
図１は、この発明のビール用保冷容器の一例の使用状態を示す斜視図、図２は、ビール用保冷容器の断面図、図３は、ビール用保冷容器の平面図である。
【００１９】
上記ビール用保冷容器は、保冷対象物であるビールＢを収容する例えば２〜３リットル入りのビール容器１（以下にビール樽缶１という）を収容する断熱性を有する容器本体１０と、ビール樽缶１内に圧縮ガス例えば圧縮空気を供給するガス供給手段である炭酸ガスカートリッジ２０と、ビール樽缶１内のビールを注出するノズル３０と、ビール樽缶１の開口部に装着されると共に、炭酸ガスカートリッジ２０に接続するガス導入路４１及びノズル３０に接続するビール導出路４２を有する装着体４０とで主に構成されている。
【００２０】
この場合、容器本体１０は、例えば、発泡ポリウレタン等の断熱材にて形成されており、ビール樽缶１と冷却水Ｗとを収容する第１の収容室１１と、ビール樽缶１及び冷却水Ｗを冷却するための氷Ｉを収容する第２の収容室１２とを形成すると共に、これら第１の収容室１１と第２の収容室１２とを互いに連通する連通孔１３を有する仕切板１４を介して区画してなり、第１又は第２の収容室１１，１２の底部（図面では第２の収容室１２の底部）に排水口１５が設けられ、この排水口１５に冷却水調整用の排水管１６の一端が接続されている。この排水管１６は、可撓性を有する透明性の例えばポリエチレンやポリプロピレン等の合成樹脂性チューブにて形成されている。
【００２１】
このように形成される排水管１６（以下に排水チューブ１６という）は、容器本体１０の外側壁に縦方向に設けられた収納溝１７内に収納可能になっており、収納溝１７の上部開口部に設けられた一対の係止突起１８によって起立した状態に係止され得るように構成されている（図１参照）。したがって、排水チューブ１６を係止突起１８との係合を解き、排水チューブ１６の開口端を下方に傾けて、第１の収容室１１内に収容された冷却水Ｗを外部に排水して、第１の収容室１１内の冷却水Ｗの容積すなわちビール樽缶１と冷却水Ｗとの接触面積を調節することができる。また、所定量の冷却水Ｗを排出した後、排水チューブ１６を収納溝１７内に収納すると共に、係止突起１８によって係止した状態で、外部から冷却水Ｗの量を目視することができるようになっている。
【００２２】
この場合、上記仕切板１４は、例えばアルミニウム製あるいはプラスチック製の多数の連通孔１３を有する多孔板にて形成されており、図３に示すように、第１の収容室１１と第２の収容室１２とを連通する連通路１９の対向する側壁１９ａの上下方向に設けられた取付溝１９ｂ内に摺動嵌合されている。
【００２３】
なお、上記説明では、第１の収容室１１と第２の収容室１２が連通路１９を介して連通され、連通路１９に多孔板からなる仕切板１４を配設して、第１の収容室１１と第２の収容室１２とを区画する場合について説明したが、仕切板を多数の連通孔を有する円筒状部材にて形成し、この円筒状仕切板の外側にドーナツ状の第２の収容室を形成するような構造としてもよい。
【００２４】
上記ノズル３０は、容器本体１０の正面側の上部側壁に貫通状態に取り付けられており、このノズル３０の供給口３０ａと、装着体４０のビール導出路４２とにビール導出チューブ３１が接続されている。このノズル３０は、容器本体１０から突出した部分に設けられたレバー３２の操作によって注出口３３からビールが注出されるようになっている。また、容器本体１０における後面側には、上端が開口する凹状の収納部２１が設けられており、この収納部２１内に炭酸ガスカートリッジ２０が収納可能になっている。この収納部２１内に収納される炭酸ガスカートリッジ２０と装着体４０のガス導入路４１にはガス供給チューブ２２が接続されている。なお、装着体４０は、ビール樽缶１の口部に設けられたねじ部（図示せず）にねじ結合されるようになっており、ビール樽缶１の口部に連結する際、ガス導入路４１とビール導出路４２を有する栓部分４３は回転せずに外側の袋ナット部４４のみがビール樽缶１の口部にねじ結合されるようになっている（図２参照）。したがって、装着体４０をビール樽缶１の口部に装着する際にガス供給チューブ２２とビール導出チューブ３１が捻れる心配がない。
【００２５】
一方、容器本体１０におけるノズル３０の注出口３３の下部側には、液溜トレイ５０が配設されている。この液溜トレイ５０は、容器本体１０の外側下部に突出するブラケット５１に水平なヒンジピン５２を介して枢着されており、使用時には、図１〜図３に示すように、水平状態に展開されて、容器例えばジョッキＪを載置し、ノズル３０から注入されるビールがジョッキＪから溢れた場合やジョッキＪから飛散した場合に受け止めることができるように構成されている。また、不使用時には、図２に二点鎖線で示すように、容器本体１０の外側面に近接する位置に折り畳まれるように構成されている。
【００２６】
なお、上記容器本体１０の開口部１０ａには断熱性を有する蓋体６０が被着されるようになっている。
【００２７】
上記のように構成される保冷容器によれば、第１の収容室１１内にビール樽缶１と冷却水Ｗを収容し、第２の収容室１２内にブロック状の塊をなす複数の氷Ｉを収容し、そして、ビール樽缶１の口部に装着体４０を装着した後、容器本体１０の開口部１０ａに蓋体６０を被着してビール樽缶１及びビール樽缶１内に収容されたビールＢを冷却又は保冷することができる。この場合、容器本体１０の外側面に設けられた収納溝１７の係止突起１８によって係止された排水チューブ１６内に存在する冷却水Ｗの液面を外部から目視することができるので、冷却水Ｗとビール樽缶１との接触面積（接触状況）を知ることができる。したがって、排水チューブ１６と係止突起１８との係合を解き、排水チューブ１６の開口端を下方に傾けて、排水チューブ１６から冷却水Ｗを排出することにより、冷却水Ｗの容積を調節すなわち冷却水Ｗとビール樽缶１との接触面積を調節することができ、ビールの保冷、保温状態を調整することができる。
【００２８】
上記のようにして保冷又は保温されたビール樽缶１内のビールＢをジョッキＪ等に注出する場合には、図２に一点鎖線で示すように、ジョッキＪを液溜トレイ５０上に載置した状態で、レバー３２を操作して、ビール樽缶１内のビールＢをジョッキＪ内に注出することができる。また、使用しな場合には、排水チューブ１６をもって第１の収容室１１内の冷却水Ｗを全て排出し、また、第２の収容室１２内の氷Ｉを排出した後、液溜トレイ５０を容器本体１０の外側面の近傍位置に折り畳んだ状態で保管することができる。
【００２９】
◎第二実施形態
図４は、この発明のビール用保冷容器の第二実施形態の使用状態の一部を断面で示す側面図、図５は、この発明のビール用保冷容器の第二実施形態の不使用状態の一部を断面で示す側面図である。
【００３０】
第二実施形態は、不使用時の容積を更に小さくできるようにした場合である。この場合、上記ノズル３０の両側に枢軸３４が突出されており、この枢軸３４が、容器本体１０の側壁１０ｂの上端部に設けられた上端が開口するノズル取付凹部３５の対向する側壁３５ａに設けられた上下方向に延びる長孔３６内に摺動及び回転可能に係合されている。
【００３１】
このように構成することにより、使用時には、図４に示すように、ノズル３０の注出口３３を容器本体１０の外部側に位置させて、使用に供することができる。また、不使用時には、使用状態からノズル３０を上方に移動させた状態で、ノズル３０を時計方向に回転させて、ノズル３０の注出口３３部（具体的には、レバー３２及び注出口３３）を容器本体１０内（図面では、第１の収容室１１内の場合を示す）に収納することができる（図５参照）。この際、液溜トレイ５０を上述したように折り畳んで容器本体１０の外側面に近接する位置におくことで、容器本体１０からの突出部を可及的に少なくすることができる。この際、図４及び図５に示すように、容器本体１０の外側面に、液溜トレイ５０の格納用凹部５３を設けておけば、液溜トレイ５０を折り畳んだ状態の外部への突出量を更に少なくすることができる点で好ましい。なお、第１の収容室１１内に格納されたノズル３０のビール供給口３０ａにはキャップ６１が被着されて、ノズル３０内に塵埃等が付着するのを防止している。
【００３２】
なお、第二実施形態において、その他の部分は、上記第一実施形態と同じであるので、同一部分には、同一符号を付して説明は省略する。
【００３３】
◎第三実施形態
図６は、この発明のビール用保冷容器の第三実施形態の使用状態の一部を断面で示す側面図、図７は、図６の平面図、図８は、この発明のビール用保冷容器の第三実施形態の不使用状態の一部を断面で示す側面図、図９は、図８の平面図である。
【００３４】
第三実施形態は、上記第二実施形態と同様に、不使用時の容積を更に小さくできるようにした場合である。
【００３５】
この場合、上記容器本体１０の側壁１０ｂの上端部に設けられた上端が開口するノズル取付凹部３５の対向する側壁３５ａの内側面に上下方向に延びる凹条３７が形成されている。また、ノズル３０には、上記ノズル取付凹部３５内に挿入される取付ブロック３８が一体に設けられており、この取付ブロック３８の両側面に、上記凹条３７内に摺動可能に係合する凸条３９が突設されている。
【００３６】
このように、容器本体１０に設けられたノズル取付凹部３５の対向する側壁３５aの内側面に上下方向に延びる凹条３７を形成し、ノズル３０に一体に形成された取付ブロック３８の両側面に、凹条３７内に摺動可能に係合する凸条３９を突設することにより、使用時には、図６及び図７に示すように、ノズル３０の注出口３３が容器本体１０の外側に位置するように、凹条３７と凸条３９とを摺動係合させて、ノズル３０を使用位置に取り付けることができる。また、不使用時には、図８及び図９に示すように、ノズル３０の注出口３３部（具体的には、レバー３２及び注出口３３）が容器本体１０内に位置するように、凹条３７と凸条３９とを摺動係合させて、ノズル３０を不使用位置に取り付けることができる。この際、液溜トレイ５０を容器本体１０の外側面に近接する位置に折り畳むことで、容器本体１０からの突出部を可及的に少なくすることができる。
【００３７】
なお、上記説明では、ノズル取付凹部３５の側壁３５ａに凹条３７を設け、ノズル３０の取付ブロック３８の両側に凸条３９を設ける場合に付いて説明したが、凹条３７と凸条３９を逆にしてもよい。すなわち、ノズル取付凹部３５の側壁３５ａに凸条３９を設け、ノズル３０の取付ブロック３８の両側に凹条３７を設けるようにしてもよい。
【００３８】
なお、第三実施形態において、その他の部分は、上記第一実施形態及び第二実施形態と同じであるので、同一部分には、同一符号を付して説明は省略する。
【００３９】
◎第四実施形態
図１０は、この発明のビール用保冷容器の第四実施形態の使用状態を示す断面図である。
【００４０】
第四実施形態は、ビール樽缶１Ａが上記第一実施形態のビール樽缶１より少量例えば１リットル、７５０ミリリットル、あるいは５００ミリリットル入り等のいわゆるプルトップ式のビール缶に適用できるようにした場合である。
【００４１】
この場合、ビール缶１Ａの上部には、ビール缶１Ａの上端部外周縁に突出する巻き締め部２にＯリング４５を介して嵌合されるキャップ状装着体４０Ａが密封状に被着されている。また、この装着体４０Ａには、容器本体１０の外側に設けられた収納部２１Ａに収納される炭酸ガスカートリッジ２０に一端が接続するガス供給チューブ２２の他端がビール缶１Ａの上面側に臨む位置に挿入固定されており、また、ビール缶１Ａ内に挿入されるビール導出チューブ３１が貫通固定されている。上記ガス供給チューブ２２の容器本体１０の外側には開閉用コック２３が介設されている。なお、上記説明では、炭酸ガスカートリッジ２０が容器本体１０の外側に設けられた収納部２１Ａ内に収納される場合について説明したが、上記第一実施形態と同様に炭酸ガスカートリッジ２０を容器本体１０内に収納してもよい。
【００４２】
また、第四実施形態において、第１の収容室１１は、ビール缶１Ａと冷却水Ｗを収容する円筒状の多孔円筒仕切板１４Ａにて形成されており、この第１の収容室１１の外側にドーナツ状の第２の収容室１２が形成されている。
【００４３】
なお、第四実施形態において、その他の部分は上記第一実施形態と同じであるので、同一部分には、同一符号を付して説明は省略する。
【００４４】
上記のように構成される第四実施形態のビール用保冷容器を使用する場合は、第１の収容室１１内にビール缶１Ａと冷却水Ｗを収容する。この際、ビール缶１Ａの開口舌片３を引っ張って開口し、ビール缶１Ａ内にビール導出チューブ３１を挿入させるようにして装着体４０Ａをビール缶１Ａの上部に被着する。そして、第２の収容室１２内に氷Ｉを収容した後、容器本体１０の開口部１０ａに蓋体６０を被着して使用に供することができる。この場合、炭酸ガスカートリッジ２０から供給される圧縮ガスはビール缶１Ａの上端部から開口部１０ａを通ってビール缶１Ａ内のビール面に加圧されることで、ビール缶１Ａ内に収容されるビールＢはノズル３０から注出される。
【００４５】
この第四実施形態においても、容器本体１０の外側面に設けられた収納溝１７の係止突起１８によって係止された排水チューブ１６内に存在する冷却水Ｗの液面を外部から目視することができるので、冷却水Ｗとビール樽缶１との接触面積（接触状況）を知ることができる。したがって、排水チューブ１６と係止突起１８との係合を解き、排水チューブ１６の開口端を下方に傾けて、排水チューブ１６から冷却水Ｗを排出することにより、冷却水Ｗの容積を調節すなわち冷却水Ｗとビール缶１Ａとの接触面積を調節することができ、ビールＢの保冷、保温状態を調整することができる。
【００４６】
◎第五実施形態
図１１は、この発明のビール用保冷容器の第五実施形態の使用状態を示す断面図、図１２は、第五実施形態における保持体とキャップ状装着体の一部を断面で示す分解斜視図である。
【００４７】
第五実施形態は、上記第四実施形態と同様のビール缶１Ａの保冷容器に適用したもので、キャップ状装着体を改良して、ビール缶１ＡすなわちビールＢの保冷又は保温効果の向上及びビールの注出を確実に行えるようにした場合である。
【００４８】
この場合、第１の収容室１１と第２の収容室（図示せず）は、上記第四実施形態と同様に、多孔状の円筒仕切板１４Ａにて区画されており、第１の収容室１１内には、ビール缶１Ａの上部を密封するキャップ状装着体４０Ａがねじ結合される保持体７０が配設されている。この保持体７０は、ビール缶１Ａを載置する載置部７１と、この載置部７１の両側辺部からビール缶１Ａの外側方に延在する対峙する一対の起立部７２とを具備し、起立部７２の上部外側に雄ねじ部７３が設けられている。したがって、保持体７０と、この保持体７０によって保持されるビール缶１Ａとの間には水Ｗが自由に出入りできるようになっている。この場合、保持体７０は、ビール缶１Ａの浮力より大きな重量（密度）を有するものである必要があるか、あるいは、容器本体１０の第１の収容室１１の底部に固定可能な構造とする必要がある。保持体７０を第１の収容室１１の底部に固定する場合は、例えばスナップ嵌合やバヨネット式嵌合等によって着脱可能にすればよい。また、装着体４０Ａは、保持体７０の起立部７２に設けられた雄ねじ部７３にねじ結合する雌ねじ部４６を具備する段付ドーナツ状の装着体基部４７と、この装着体基部４７の内方に配設されてビール缶１Ａの上端を塞ぐ閉塞板４８とで構成されている（図１１，１２参照）。なお、閉塞板４８にはガス供給チューブ２２を接続するガス供給口４８ａと、ビール導出チューブ３１を貫通する貫通穴４８ｂが設けられている。
【００４９】
このように構成される装着体４０Ａの雌ねじ部４６と、保持体７０の起立部７２に設けられた雄ねじ部７３とをねじ結合することによって閉塞板４８が保持体７０の載置部７１上に載置されるビール缶１Ａの上端部に被着（密着）される。このようにして、ビール缶１Ａを保持体７０にて保持した状態で、これらビール缶１Ａと保持体７０を冷却水Ｗと共に第１の収容室１１内に収容し、第２の収容室１２内に氷Ｉを収容した後、容器本体１０の開口部１０ａに蓋体６０を被着して、使用に供することができる。
【００５０】
上記のように、装着体４０Ａと保持体７０の起立部７２とをにねじ結合することによって、閉塞板４８をビール缶１Ａの上端部に被着（密着）することにより、炭酸ガスカートリッジ２０からビール缶１Ａ内に圧縮ガスを供給してビール缶１Ａ内のビールＢをノズル３０から注出することができる。また、ビール缶１Ａ内のビールＢの容量が少なくなることにより、ビール缶１Ａが浮き上がるのを保持体７０によって防止することができる。したがって、ビール缶１Ａ内のビールＢの保冷又は保温を確実にすることができると共に、ビール缶１Ａ内にビールＢを残すことなく確実に注出することができる。
【００５１】
なお、第五実施形態において、その他の部分は上記第一実施形態又は第四実施形態と同じであるので、同一部分には同一符号を付して説明は省略する。
【００５２】
◎第六実施形態
図１３は、この発明のビール用保冷容器の第六実施形態の使用状態を示す断面図である。
【００５３】
第六実施形態は、ビール容器１Ｂが、瓶あるいはペットボトル等のビール瓶である場合に適用できるようにした場合である。
【００５４】
この場合、ビール瓶１Ｂの上部には、ビール瓶１Ｂの上端開口部にキャップ状の装着体４０Ｂが密封状に被着されている。この装着体４０Ｂは、上記第五実施形態と同様に、保持体７０の起立部７２に設けられた雄ねじ部７３にねじ結合する雌ねじ部４６を具備する段付ドーナツ状の装着体基部４７と、この装着体基部４７の内方に配設されてビール缶１Ａの上端を塞ぐ閉塞板４８とで構成されている（図１３参照）。
【００５５】
上記のように構成することにより、保持体７０の載置部７１上にビール瓶１Ｂを載置した状態で、保持体７０の起立部７２と装着体４０Ｂとをねじ結合することによって閉塞板４８が保持体７０の載置部７１上に載置されるビール瓶１Ｂの上端部に被着（密着）される。そして、ビール瓶１Ｂと保持体７０とを第１の収容室１１内に収容すると共に、第１の収容室１１内に冷却水Ｗを収容し、また、第２の収容室１２内に氷Ｉを収容し、最後に、容器本体１０の開口部１０ａに蓋体６０を被着して、使用に供することができる。
【００５６】
なお、第六実施形態において、その他の部分は、上記第一実施形態、第四実施形態又は第五実施形態と同じであるので、同一部分には同一符号を付して説明は省略する。
【００５７】
なお、上記実施形態では、ノズル３０と炭酸ガスカートリッジ２０を具備するビール用保冷容器について説明したが、ノズル３０と炭酸ガスカートリッジ２０を具備しない保冷容器についても適用することができる。
【００５８】
また、上記第四ないし第六実施形態では、多孔状の円筒仕切板１４Ａを介して第１の収容室１１と第２の収容室１２とを同心円状に形成する場合について説明したが、第一実施形態と同様に第１の収容室１１と第２の収容室１２を形成してもよい。
【００５９】
【発明の効果】
以上に説明したように、この発明のビール用保冷容器は、上記のように構成されているので、以下のような効果が得られる。
【００６０】
（１）請求項１記載の発明によれば、被保冷物であるビールを収容するビール容器と冷却水を第１の収容室内に収容し、この第１の収容室と連通する第２の収容室に氷を収容することができるので、氷と冷却水とが混在することなく、氷によって冷却水及びビール容器を長時間に渡って冷却・保冷することができる。また、排水管から、冷却水の容積を調節することができるので、ビール容器と冷却水との接触面積を調節することができ、これによりビール容器すなわちビールの保冷又は保温を調整することができる。また、排水管を容器本体の外側部に係止した状態で冷却水の容量すなわち冷却水とビール容器との接触状況を外部から目視することができるので、ビールの保冷、保温の調節を容易にすることができる。
【００６１】
（２）請求項２記載の発明によれば、請求項１記載の発明と同様に、氷と冷却水とが混在することなく、氷によって冷却水及びビール容器を長時間に渡って冷却・保冷することができ、また、ビール容器と冷却水との接触面積を調節することにより、ビール容器すなわちビールの保冷又は保温を調整することができる。更に、電源を使用しないで野外でのビールの保冷、保温を容易にすることができると共に、ビールをジョッキ等の容器へ注ぐことができる。また、排水管を容器本体の外側部に係止した状態で冷却水の容量すなわち冷却水とビール容器との接触状況を外部から目視することができるので、ビールの保冷、保温の調節を容易にすることができる。
【００６２】
（３）請求項３記載の発明によれば、使用時には、ノズルの注出口を容器本体の上部外側に突出し、このノズルの下部外側に液溜トレイを配設することができるので、液溜トレイ上に置いたジョッキ等の容器にビールを注入することができ、その際、ジョッキから溢れたり外部に飛散したビールを液溜トレイで受け止めることができる。また、不使用時には、ノズルの注出口部を、容器本体内に収納し、また、液溜トレイを、容器本体の外側面に近接する位置に折り畳むことにより、不使用時における全体の容積をコンパクトにすることができるので、不使用時の保管が容易となる。
【００６３】
（４）請求項４記載の発明によれば、装着体をビール容器の開口部に密着した状態でビール容器を保持体にて保持することができるので、ガス供給手段からビール容器内に圧縮ガスを供給してビール容器内のビールをノズルから注出して、ビール容器内のビールの容量が少なくなることにより、ビール容器が浮き上がるのを防止することができるので、上記（２）に加えてビール容器内のビールの保冷又は保温を確実にすることができると共に、ビール容器内にビールを残すことなく確実に注出することができる。
【図面の簡単な説明】
【図１】この発明のビール用保冷容器の第一実施形態の使用状態を示す斜視図である。
【図２】第一実施形態のビール用保冷容器の断面図である。
【図３】第一実施形態のビール用保冷容器の平面図である。
【図４】この発明のビール用保冷容器の第二実施形態の使用状態の一部を断面で示す側面図である。
【図５】第二実施形態のビール用保冷容器の不使用状態の一部を断面で示す側面図である。
【図６】この発明のビール用保冷容器の第三実施形態の使用状態の一部を断面で示す側面図である。
【図７】図６の平面図である。
【図８】第三実施形態のビール用保冷容器の不使用状態の一部を断面で示す側面図である。
【図９】図８の平面図である。
【図１０】この発明のビール用保冷容器の第四実施形態の使用状態を示す断面図である。
【図１１】この発明のビール用保冷容器の第五実施形態の使用状態を示す断面図である。
【図１２】この発明における保持体とキャップ状装着体の一部を断面で示す分解斜視図である。
【図１３】この発明のビール用保冷容器の第六実施形態の使用状態を示す断面図である。
【符号の説明】
１  ビール樽缶（ビール容器）
１Ａ  ビール缶（ビール容器）
１Ｂ  ビール瓶（ビール容器）
１０  容器本体
１１  第１の収容室
１２  第２の収容室
１３  連通孔
１４  仕切板
１４Ａ  多孔円筒仕切板
１５  排水口
１６  排水チューブ（排水管）
１７  収納溝
１８  係止突起
２０  炭酸ガスカートリッジ（ガス供給手段）
３０  ノズル
３３  注出口
３４  枢軸
３５  ノズル取付凹部
３６  長孔
３７  凹条
３９  凸条
４０，４０Ａ，４０Ｂ  装着体
４１  ガス導入路
４２  ビール導出路
４６  雌ねじ部
５０  液溜トレイ
５２  ヒンジピン
７０  保持体
７１  載置部
７２  起立部
７３  雄ねじ部
Ｗ  冷却水
Ｉ  氷
【図１】
0003601687.tif 000002
【図２】
0003601687.tif 000003
【図３】
0003601687.tif 000004
【図４】
0003601687.tif 000005
【図５】
0003601687.tif 000006
【図６】
0003601687.tif 000007
【図７】
0003601687.tif 000008
【図８】
0003601687.tif 000009
【図９】
0003601687.tif 000010
【図１０】
0003601687.tif 000011
【図１１】
0003601687.tif 000012
【図１２】
0003601687.tif 000013
【図１３】
0003601687.tif 000014